(57)【要約】【課題】カメラ操作者が、カメラに搭載されている撮影モードまたは撮影パラメータ変更機能を容易に理解することができ、前記変更機能を簡単かつ的確に選択できるようにする。【解決手段】撮像装置であるカメラは、被写体を撮像する撮像素子２と、撮像素子２によって撮像された原画像に対して、異なるパラメータ値による画像処理を施し、複数の画像を作成する画像処理部１１と、画像処理部１１によって作成された複数の画像をマルチウィンドウ表示する表示部１０とを有し、原画像の撮像、画像作成、及びマルチウィンドウ表示という一連のプロセスを繰り返し行う。【選択図】図１
2007274581.tif 000002
【特許請求の範囲】
【請求項１】
被写体を撮像するための撮像手段と、
前記撮像手段によって撮像された原画像に対して、異なるパラメータ値による画像処理を施し、複数の画像を作成するための画像作成手段と、
前記画像作成手段によって作成された複数の画像をマルチウィンドウ表示するためのマルチウィンドウ表示手段とを有し、
前記原画像の撮像、画像作成、及びマルチウィンドウ表示という一連のプロセスを繰り返し行う、
ことを特徴とする撮像装置。
【請求項２】
前記マルチウィンドウ表示手段は、前記原画像と前記画像作成手段により作成された複数の画像とをマルチウィンドウ表示する、
ことを特徴とする請求項１記載の撮像装置。
【請求項３】
前記画像処理を行うためのパラメータは、画像形式、ズーム、ホワイトバランス、シャープネス、コントラスト、彩度のいずれかである、
ことを特徴とする請求項１又は２記載の撮像装置。
【請求項４】
前記画像処理を行うためのパラメータは撮影モードである、
ことを特徴とする請求項１又は２記載の撮像装置。
【請求項５】
前記マルチウィンドウ表示手段によってマルチウィンドウ表示された複数の画像から一つの画像を選択する選択手段を更に備える、
ことを特徴とする請求項１乃至４のいずれか一項記載の撮像装置。
【請求項６】
表示された階層構造のメニューからの選択により、前記マルチウィンドウ表示手段によるマルチウィンドウ表示が行われる、
ことを特徴とする請求項１乃至５のいずれか一項記載の撮像装置。
【請求項７】
撮影待機状態からのダイレクト選択により、前記マルチウィンドウ表示手段によるマルチウィンドウ表示が行われる、
ことを特徴とする請求項１乃至５のいずれか一項記載の撮像装置。
【請求項８】
被写体を撮像して原画像を取得し、前記原画像に対して、異なるパラメータ値による画像処理を施して複数の画像を作成し、前記複数の画像をマルチウィンドウ表示する、という一連のプロセスを繰り返し行う、
ことを特徴とする撮像装置の表示方法。
【請求項９】
前記複数の画像のマルチウィンドウ表示では、前記原画像も併せてマルチウィンドウ表示する、
ことを特徴とする請求項８記載の撮像装置の表示方法。
【請求項１０】
前記画像処理を行うためのパラメータは、画像形式、ズーム、ホワイトバランス、シャープネス、コントラスト、彩度のいずれかである、
ことを特徴とする請求項８又は９記載の撮像装置の表示方法。
【請求項１１】
前記画像処理を行うためのパラメータは撮影モードである、
ことを特徴とする請求項８又は９記載の撮像装置の表示方法。
【発明の詳細な説明】
【技術分野】
【０００１】
本発明は、撮像装置に関する。
【背景技術】
【０００２】
近年、複数の撮影モードや、撮影パラメータを変更する機能を備えたデジタルカメラが数多く販売されている。撮影の状況によっては、撮影モードを変更したり、撮影パラメータを変更した方が、より良い画像を得られる場合が多々ある。
【０００３】
例えば、カメラの撮影パラメータとしてホワイトバランス設定がある。ホワイトバランスの調整を自動的に行うオートホワイトバランスの機能を備えるカメラが一般的である。オートホワイトバランスは、いかなる光源下で撮影が行われても、画像処理によって白いものは白く写るように自動的に調整するものである。しかしながら、画面内全体の色がある色に片寄っているようなとき、その色を白色になるように補正するので、必ずしも良好な色あいで記録されるとは限らない。そこで、プリセットホワイトバランスというモードを併せて搭載しているカメラが多い。プリセットホワイトバランス調整は、ホワイトバランス補正の中心値データとして、代表的な複数の色温度の値をシステムに記憶させておくものである。晴天下、曇天下、電球下，蛍光灯下等の被写体を照らしている光源に合わせて上記色温度の値を選択可能にするものである。
【０００４】
しかしながら、カメラ初心者にとっては、プリセットホワイトバランスの選択を行おうと思っても、画像の出来上がりイメージが分からなかったり、各プリセットホワイトバランスの効果を比較するためにプリセットホワイトバランスを切り換えて確認する作業が非常に面倒である。
【０００５】
特許文献１においては、異なる複数の画像を表示し、複数の画像から選択された画像を記録媒体に記録する技術が開示されている。ここで、複数の画像は、予備採取によって得られた画角、ピント、露出が異なる画像である。
【特許文献１】特許第３１３９０２８号公報
【発明の開示】
【発明が解決しようとする課題】
【０００６】
上記特許文献１の先行技術においては、予備採取によって得られた画角、ピント、露出が異なる画像を複数表示し、所望の１枚を記録できる撮影装置について述べられており、複数表示する画像が撮影済みであるため、この複数画像の中に好みの画像が存在しない場合は、撮り直しが必要であり使い勝手が悪い。
【０００７】
本発明は、上記実情に鑑み、カメラ操作者が、カメラに搭載されている撮影モードまたは撮影パラメータ変更機能を容易に理解することができ、前記変更機能を簡単かつ的確に選択できるようにする撮像装置及びその表示方法を提供することを目的とする。
【課題を解決するための手段】
【０００８】
上記目的を達成するため、本発明の第１の態様に係る撮像装置は、被写体を撮像するための撮像手段と、前記撮像手段によって撮像された原画像に対して、異なるパラメータ値による画像処理を施し、複数の画像を作成するための画像作成手段と、前記画像作成手段によって作成された複数の画像をマルチウィンドウ表示するためのマルチウィンドウ表示手段とを有し、前記原画像の撮像、画像作成、及びマルチウィンドウ表示という一連のプロセスを繰り返し行う、ことを特徴とする。
【０００９】
また、本発明の第２の態様に係る撮像装置は、上記第１の態様において、前記マルチウィンドウ表示手段は、前記原画像と前記画像作成手段により作成された複数の画像とをマルチウィンドウ表示する、ことを特徴とする。
【００１０】
また、本発明の第３の態様に係る撮像装置は、上記第１又は２の態様において、前記画像処理を行うためのパラメータは、画像形式、ズーム、ホワイトバランス、シャープネス、コントラスト、彩度のいずれかである、ことを特徴とする。
【００１１】
また、本発明の第４の態様に係る撮像装置は、上記第１又は２の態様において、前記画像処理を行うためのパラメータは撮影モードである、ことを特徴とする。
また、本発明の第５の態様に係る撮像装置は、上記第１乃至４の何れか一つの態様において、前記マルチウィンドウ表示手段によってマルチウィンドウ表示された複数の画像から一つの画像を選択する選択手段を更に備える、ことを特徴とする。
【００１２】
また、本発明の第６の態様に係る撮像装置は、上記第１乃至５の何れか一つの態様において、表示された階層構造のメニューからの選択により、前記マルチウィンドウ表示手段によるマルチウィンドウ表示が行われる、ことを特徴とする。
【００１３】
また、本発明の第７の態様に係る撮像装置は、上記第１乃至５の何れか一つの態様において、撮影待機状態からのダイレクト選択により、前記マルチウィンドウ表示手段によるマルチウィンドウ表示が行われる、ことを特徴とする。
【００１４】
尚、本発明は、上記撮像装置に限らず、撮像装置の表示方法として構成することもできる。
【発明の効果】
【００１５】
本発明によれば、カメラ操作者が、カメラに搭載されている撮影モードまたは撮影パラメータ変更機能を容易に理解することができ、前記変更機能を簡単かつ的確に選択できるようになる。
【発明を実施するための最良の形態】
【００１６】
以下、図面を参照しながら本発明の実施例を説明する。
【実施例１】
【００１７】
図１は、本発明の実施例１に係る撮像装置であるカメラのブロック図である。
光学系１は、被写体を撮像素子２に結像するためのレンズと、そのレンズを支持する鏡枠（不図示）とで構成される。鏡枠は、焦点距離の変更とピント合わせが可能である。
【００１８】
撮像素子２は、複数の画素で構成され、結像した被写体を電気信号に変換する。
撮像制御部３は、撮像素子２の動作をコントロールし、撮像素子２から得られたアナログの電気信号をデジタルデータに変換する。
【００１９】
ＡＥ信号処理部４は、撮像素子２の出力データから被写体の輝度情報を得る。
鏡枠制御部５は、光学系１に含まれる鏡枠を制御する。
コントロール部６は、全てのブロックを統括して当該カメラ全体の動作をコントロールする。
【００２０】
操作部７は、当該カメラの操作部材から入力信号をコントロール部６へ入力する。
内蔵メモリ８は、撮像制御部３から得られたデジタルデータを格納する。また、画像処理部１１が作動する際に、画像展開エリアとして使用される。
【００２１】
外部メモリ９は、撮影された画像や、カメラの編集機能によって編集された画像を記録するためのメモリである。このメモリ９は、取り外しが可能である。
表示部１０は、スルー画像、動画像、静止画像、及びカメラ情報を表示する。
【００２２】
画像処理部１１は、撮影された原画像に対して所定の画像処理を行う。
上記構成において、撮像制御部３、ＡＥ信号処理部４、鏡枠制御部５、コントロール部６、内蔵メモリ８、外部メモリ９、表示部１０、画像処理部１１の各々は、バス１２に接続されており、相互にデータの送受が可能になっている。
【００２３】
図２は、本実施例に係るカメラの外観背面図である。
２０は、ＴＦＴカラー液晶（以下単に「ＴＦＴ」という）である。これは、図１に示した表示部１０に含まれる。
【００２４】
２１は、レリーズボタンである。
２２は、ズームボタンである。
２３は、回転式のモード設定ダイアル（以下単に「モードダイアル」という）である。これは、静止画撮影モード、再生モード、手ぶれ軽減撮影モード、シーン撮影モード、動画撮影モードなどを選択可能である。
【００２５】
２４は、十字タイプのキースイッチ（以下単に「十字キー」という）である。これは、露出補正の設定、フラッシュの設定、セルフ撮影モードの設定、マクロ撮影モードの設定などができる。また、メニュー設定画面表示時に、ガーソルの移動や、メニュー階層の切り換えに使用される。
【００２６】
２５は、露出補正設定ポジションを示す指標である。この指標方向にある十字キー２４の三角マークを押圧すると露出補正が可能となる。
２６は、フラッシュ設定ポジションを示す指標である。この指標方向にある十字キー２４の三角マークを押圧するとフラッシュ発光モードを変更することが可能となる。
【００２７】
２７は、セルフ撮影モードの設定ポジションを示す指標である。この指標方向にある十字キー２４の三角マークを押圧するとセルフ撮影モードに変更することが可能となる。
２８は、マクロ撮影モードの設定ポジションを示す指標である。この指標方向にある十字キー２４の三角マークを押圧するとマクロ撮影モードに変更することが可能となる。
【００２８】
２９は、キースイッチ（以下「ＭＥＮＵキー」という）である。これを押圧するとＴＦＴ２０にメニュー設定画面が表示される。
３０は、メニュー設定画面表示時に、メニュー項目を決定する場合の確定キーや、ファンクション設定モードに遷移するための遷移キーとして使用されるキー（以下「ＯＫ／ＦＵＮＣキー」という）である。
【００２９】
次に、本実施例に係るカメラにおいて、撮影パラメータ値が異なる複数のスルー画像を同時に表示するマルチウィンドウ表示を行うための操作、及び、その時の画面表示例について、図３乃至図７を用いて、説明する。
【００３０】
本実施例に係るカメラにおいて、カメラ電源ＯＮ時に、モードダイアル２３が撮影モードに設定され、ＭＥＮＵキー２９が押下されると、図３に示す、４つの項目に遷移可能な第１階層メニューがＴＦＴ２０に表示される。
【００３１】
この第１階層メニューにおける４つの項目は、”画質”、”撮影メニュー”、”設定”、”リセット”である。”画質”は、撮影する画像の画質を設定する。”撮影メニュー”は、後述の撮影メニューを設定する。”設定”は、表示言語の選択や、カメラに内蔵された時計の設定などといったカメラの設定を行う。”リセット”は、ユーザーが設定した撮影モード等を初期化する。尚、図３においては、“撮影メニュー”が選択されている様子を示している。
【００３２】
この第１階層メニュー上にて、十字キー２４を操作して”撮影メニュー”を選択し、さらにＯＫ／ＦＵＮＣキー３０を押下すると、図４に示す、撮影メニューに係る第２階層メニューがＴＦＴ２０に表示される。
【００３３】
この第２階層メニューには、撮影パラメータとして、”画像形式”、”ズーム”、”ホワイトバランス”、”シャープネス”、”コントラスト”、”彩度”の６つがある。”画像形式”は、画像形式を撮影パラメータとして画像処理を施す。”ズーム”は、ズームを撮影パラメータとして画像処理を施す。”ホワイトバランス”は、ホワイトバランスを撮影パラメータとして画像処理を施す。”シャープネス”は、シャープネスを撮影パラメータとして画像処理を施す。”コントラスト”は、コントラストを撮影パラメータとして画像処理を施す。”彩度”は、彩度を撮影パラメータとして画像処理を施す。尚、図４においては、”ホワイトバランス”が選択されている様子を示している。
【００３４】
図４に示した表示状態において、ＯＫ／ＦＵＮＣキー３０を押下すると、ホワイトバランスに係る、例えば図５に示すような４つのスルー画像からなるマルチウィンドウが、ＴＦＴ２０に表示される。この表示状態では、十字キー２４を操作することによって、４つのスルー画像３１、３２、３３、３４から、いずれかのスルー画像を選択することができる。
【００３５】
ここで、スルー画像３１は、原画像に対して自動的にホワイトバランス補正を行ったスルー画像である。スルー画像３２は、原画像に対して晴天下の撮影に適するホワイトバランス補正を行ったスルー画像である。スルー画像３３は、原画像に対して曇天下の撮影に適するホワイトバランス補正を行ったスルー画像である。スルー画像３４は、原画像に対して電球下の撮影に適するホワイトバランス補正を行ったスルー画像である。尚、図面の都合から同図に示した４つのスルー画像は何れも同じものとなっているが、実際には異なるものである（後述の図７、図１５、図１６、及び図１７においても同じ）。
【００３６】
図５に示した表示状態は、スルー画像３２（晴天下の撮影に適するホワイトバランス補正を行った画像）が選択されている様子を示しており、この表示状態でＯＫ／ＦＵＮＣキー３０を押下すると、選択されているスルー画像３２が、図６に示すように、ＴＦＴ２０上に全画面で表示される。
【００３７】
尚、ホワイトバランスに係るマルチウィンドウに表示すべきスルー画像がさらに多い場合は、図５に示した表示状態において、十字キー２４の右ボタンを操作することによって、例えば図７に示すマルチウィンドウの表示へ切り換えることもできる。この表示状態では、同様に十字キー２４を操作することによって、４つのスルー画像３５、３６、３７、３８から、いずれかのスルー画像を選択することができる。
【００３８】
ここで、スルー画像３５は、原画像に対して自動的にホワイトバランス補正を行ったスルー画像である。スルー画像３６は、原画像に対して昼光色の蛍光灯下の撮影に適するホワイトバランス補正を行ったスルー画像である。スルー画像３７は、原画像に対して昼白色の蛍光灯下の撮影に適するホワイトバランス補正を行ったスルー画像である。スルー画像３８は、原画像に対して白色の蛍光灯下の撮影に適するホワイトバランス補正を行ったスルー画像である。
【００３９】
尚、同図に示した表示状態は、スルー画像３５（原画像に対して自動的にホワイトバランス補正を行った画像）が選択されている様子を示しており、この表示状態でＯＫ／ＦＵＮＣキー３０を押下すると、同様に、選択されているスルー画像３５がＴＦＴ２０上に全画面で表示される。
【００４０】
図８は、上述の図３乃至図７を用いて説明した、ホワイトバランスに係るマルチウィンドウを表示するまでの動作を示すフローチャートである。
まず、Ｓ１では、カメラの電源がオンされ、カメラの内蔵メモリ８に格納されたプログラムを読み出し実行することにより、コントロール部６が作動を開始する。
【００４１】
Ｓ２では、カメラのモードダイアル２３が、撮影モードに設定されているのか、再生モードに設定されているのか判断する。再生モードに設定されている場合（Ｓ２が”再生”）はＳ３へ移行し、撮影モードに設定されている場合（Ｓ２が”撮影”）はＳ４へ移行する。
【００４２】
Ｓ３では、不図示の再生処理ルーチンへジャンプする。
Ｓ４では、鏡枠を所定の初期位置に繰り出した後、ピント調節用のレンズを初期位置に繰り出す。
【００４３】
Ｓ５では、表示部１０に含まれるＴＦＴ２０を表示オンにする。
Ｓ６では、撮像素子２、撮像制御部３、ＡＥ信号処理部４を含む撮像系が作動を開始する。
【００４４】
Ｓ７では、操作部７への操作入力が発生したか否か判断する。操作入力が発生した場合（Ｓ７がＹＥＳ）はＳ１０へ移行し、操作入力が無い場合（Ｓ７がＮＯ）はＳ８へ移行する。
【００４５】
Ｓ８では、操作入力が無い状態で所定時間経過したか否か判断する。所定時間経過しても操作入力が発生しない場合（Ｓ８がＹＥＳ）は、Ｓ９へ移行する。所定時間が経過していない場合（Ｓ８がＮＯ）はＳ７へ戻り、再度Ｓ７の判断を実行する。
【００４６】
Ｓ９では、不図示のスリープモード（省エネルギーモード）へ移行する。
Ｓ１０では、発生した操作入力は、ＭＥＮＵキー２９かどうか判断する。ＭＥＮＵキー２９ではない場合（Ｓ１０がＮＯ）はＳ１１へ移行し、ＭＥＮＵキー２９である場合（Ｓ１０がＹＥＳ）はＳ１２へ移行する。
【００４７】
Ｓ１１では、不図示の他の操作入力処理へ移行する。
Ｓ１２では、第１階層メニュー（図３参照）をＴＦＴ２０上に表示する。この時、カーソル位置の初期状態は、”撮影メニュー”とする。
【００４８】
Ｓ１３では、次にＯＫ／ＦＵＮＣキー３０が押下されたか否か判断するために”ＯＫキー判断Ａ”のサブルーチンをコールする。ここで、”撮影メニュー”が選択されているときにＯＫ／ＦＵＮＣキー３０が押下された場合は、Ｓ１４の処理へ移行する。
【００４９】
Ｓ１４では、第２階層メニュー（図４参照）をＴＦＴ２０上に表示する。この時、カーソル位置の初期状態は、“ホワイトバランス”とする。
Ｓ１５では、次にＯＫ／ＦＵＮＣキー３０が押下されたか否か判断するために”ＯＫキー判断Ａ”のサブルーチンをコールする。ここで、ＯＫ／ＦＵＮＣキー３０が押下された場合は、Ｓ１６の判断に移行する。
【００５０】
Ｓ１６では、”ホワイトバランス”が選択されたか否か判断する。”ホワイトバランス”が選択された場合（Ｓ１６がＹＥＳ）はＳ１８へ移行し、”ホワイトバランス”が選択されていない場合（Ｓ１６がＮＯ）はＳ１７へ移行する。
【００５１】
Ｓ１７では、”ホワイトバランス”以外の他の撮影パラメータが選択されたため、不図示の他の撮影パラメータに係る処理へ移行する。
Ｓ１８では、次にＯＫ／ＦＵＮＣキー３０が押下されたか否か判断するために”ＯＫキー判断Ｂ”のサブルーチンをコールする。ここで、ＯＫ／ＦＵＮＣキー３０が押下された場合は、Ｓ１９の処理に移行する。
【００５２】
Ｓ１９では、カメラ操作者によって、ＴＦＴ２０に表示されている例えば図５に示したホワイトバランスに係るマルチウィンドウ上のスルー画像３２（晴天下の撮影に適するホワイトバランス補正を行ったスルー画像）が選択されたことによって、図６に示した全画面表示がなされる。
【００５３】
Ｓ２０では、撮影待機状態に移行する。
図９は、上述の”ＯＫキー判断Ａ”（Ｓ１３，Ｓ１５）のサブルーチン処理を示すフローチャートである。
【００５４】
まず、Ｓ３０では、このサブルーチン処理をスタートする。
Ｓ３１では、ＯＫ／ＦＵＮＣキー（同図の”ＯＫキー”）３０が押下されたか否か判断する。ここで、ＯＫ／ＦＵＮＣキー３０が押下された場合（Ｓ３１がＹＥＳ）はＳ３２へ移行し、押下されていない場合（Ｓ３１がＮＯ）はＳ３３へ移行する。
【００５５】
Ｓ３２では、当該サブルーチン処理をリターンする。
Ｓ３３では、十字キー２４が押下されたか否か判断する。ここで、十字キー２４が押下された場合（Ｓ３３がＹＥＳ）はＳ３４へ移行し、押下されていない場合（Ｓ３３がＮＯ）はＳ３５へ移行する。
【００５６】
Ｓ３４では、十字キー２４が押下された方向によって、ＴＦＴ２０に表示されているメニュー上のカーソルを上下方向に移動する。
Ｓ３５では、ＭＥＮＵキー２９が押下されたか否か判断する。ここで、ＭＥＮＵキー２９が押下された場合（Ｓ３５がＹＥＳ）はＳ３６へ移行し、押下されていない場合（Ｓ３５がＮＯ）はＳ３７へ移行する。
【００５７】
Ｓ３６では、撮影待機状態へ移行する。
Ｓ３７では、操作入力が無い状態で所定時間経過したか否か判断する。ここで、所定時間経過しても操作入力が発生しない場合（Ｓ３７がＹＥＳ）はＳ３８へ移行する。所定時間が経過していない場合（Ｓ３７がＮＯ）はＳ３１へ戻り、再度Ｓ３１の判断を実行する。
【００５８】
Ｓ３８では、不図示のスリープモード（省エネルギーモード）へ移行する。
図１０は、上述の”ＯＫキー判断Ｂ”（Ｓ１８）のサブルーチン処理を示すフローチャートである。
【００５９】
まず、Ｓ４０では、このサブルーチン処理をスタートする。
Ｓ４１では、撮像を行い、画像処理を行うための原画像を取得する。
Ｓ４２では、サブルーチン”画像処理”をコールする。
【００６０】
尚、コールされたサブルーチン”画像処理”では、Ｓ４１で取得された原画像を基に、選択されている撮影パラメータ（例えば”ホワイトバランス”）に応じた画像処理が、異なるパラメータ値の下に施され、複数の画像が作成される。
【００６１】
Ｓ４３では、Ｓ４２で作成された複数の画像をＴＦＴ２０上にマルチウィンドウ表示する。尚、この時に、原画像も併せてマルチウィンドウ表示することもできる。
Ｓ４４では、ＯＫ／ＦＵＮＣキー（同図の”ＯＫキー”）３０が押下されたか否か判断する。ここで、ＯＫ／ＦＵＮＣキー３０が押下された場合（Ｓ４４がＹＥＳ）はＳ４５へ移行し、押下されていない場合（Ｓ４４がＮＯ）はＳ４６へ移行する。
【００６２】
Ｓ４５では、当該サブルーチン処理をリターンする。
Ｓ４６では、十字キー２４が押下されたか否か判断する。ここで、十字キー２４が押下された場合（Ｓ４６がＹＥＳ）はＳ４７へ移行し、押下されていない場合（Ｓ４６がＮＯ）はＳ４８へ移行する。
【００６３】
Ｓ４７では、十字キー２４が押下された方向によって、カーソルをマルチウィンドウ上の上下左右方向に移動する。例えば、図５に示したカーソル位置の状態で、さらに、十字キー２４の右側（右ボタン）が押下された場合は、図７に示した表示に切り換えられる。つまり、十字キー２４の操作によって、図５に示した表示と図７に示した表示とを行ったり来たりすることが可能である。
【００６４】
Ｓ４８では、ＭＥＮＵキー２９が押下されたか否か判断する。ここで、ＭＥＮＵキー２９が押下された場合（Ｓ４８がＹＥＳ）はＳ４９へ移行し、押下されていない場合（Ｓ４８がＮＯ）はＳ５０へ移行する。
【００６５】
Ｓ４９では、撮影待機状態に移行する。
Ｓ５０では、操作入力が無い状態で所定時間経過したか否か判断する。ここで、所定時間経過しても操作入力が発生しない場合（Ｓ５０がＹＥＳ）はＳ５１へ移行する。所定時間が経過していない場合（Ｓ５０がＮＯ）はＳ４１へ戻り、再度Ｓ４１の処理を実行する。よって、所定時間経過前における操作入力が発生しない状態では、撮像（Ｓ４１）→画像処理（Ｓ４２）→マルチウィンドウ表示（Ｓ４３）といった一連のプロセスが繰り返し実行される。これにより、複数のスルー画像からなるマルチウィンドウ表示が行われる。
【００６６】
Ｓ５１では、不図示のスリープモード（省エネルギーモード）へ移行する。
尚、この”ＯＫキー判断Ｂ”（Ｓ１８）のサブルーチン処理において、Ｓ４２では、Ｓ４１で取得された原画像を基に、選択されている撮影パラメータ、すなわち、”画像形式”、”ズーム”、”ホワイトバランス”、”シャープネス”、”コントラスト”、又は、”彩度”のいずれかの撮影パラメータに応じた画像処理が、異なるパラメータ値の下に施され、複数の画像が作成される。ここで、各画像処理の詳しい内容は次のとおりである。
【００６７】
”画像形式”に応じた画像処理では、原画像から、所定の縦横比になるようにトリミングした画像を作成する。
”ズーム”に応じた画像処理では、原画像から、ズーム倍率に応じた領域を切り取り、切り取った画像に補間処理を施してズーム倍率の異なる画像を作成する。
【００６８】
”ホワイトバランス”に応じた画像処理では、原画像から、色空間の明度、彩度を変化させて、色味が異なる画像を作成する。
”シャープネス”に応じた画像処理では、原画像の輪郭を抽出し、輪郭強調の度合いを変化させて、鮮鋭度の異なる画像を作成する。
【００６９】
”コントラスト”に応じた画像処理では、原画像から、色空間の明度を変化させて、コントラストが異なる画像を作成する。
”彩度”に応じた画像処理では、原画像から、色空間の彩度を変化させて、鮮やかさが異なる画像を作成する。
【００７０】
以上、本実施例によれば、画像形式、ズーム、ホワイトバランス、シャープネス、コントラスト、又は、彩度といった撮影パラメータにおけるパラメータ値が異なる複数の画像を、マルチウィンドウ形式で表示することができるため、カメラ操作者が初心者であっても、撮影パラメータおよびパラメータ値の違いを容易に理解することができる。
【００７１】
また、原画像の撮像、画像作成、マルチウィンドウ表示といった一連のプロセスを繰り返し行うため、被写体の動きや明るさに変化があっても、被写体の現在の状態をマルチウィンドウ上に忠実に反映することができる。よって、カメラ操作者は過去の記憶に頼ることなく、撮影パラメータを設定することができる。
【００７２】
さらに、パラメータ値が異なる画像を１枚１枚切り換えることなく、マルチウィンドウにて同時に表示するため、選択の操作が簡単である。
【実施例２】
【００７３】
上述の実施例１では、図３及び図４を用いて説明したように、階層構造のメニューから撮影パラメータ（例えば”ホワイトバランス”）の選択が可能な例を説明したが、実施例２では、撮影待機画面上からダイレクトに撮影パラメータの選択が可能な例を説明する。尚、本実施例の説明では、実施例１に係るカメラと同一の要素については、同一の符号を付している。
【００７４】
図１１は、実施例２に係る撮像装置であるカメラのＴＦＴ２０に表示された撮影待機画面の一例を示す図である。同図に示したように、撮影待機画面上には、撮影パラメータを選択するためのウィンドウ（”撮影メニュー”に係るウィンドウ）３９が開いており、”画像形式”、”ズーム”、”ホワイトバランス”、”シャープネス”、”コントラスト”、及び、”彩度”のいずれかの撮影パラメータの選択が可能である。尚、同図には、”ホワイトバランス”が選択されている様子を示している。
【００７５】
図１２は、撮影待機画面上のウィンドウ３９から撮影パラメータを選択可能とした、本実施例に係るカメラの動作を示すフローチャートである。
同図において、Ｓ６０乃至Ｓ６８の処理は、図８に示したＳ１乃至Ｓ９の処理と同様であるので、ここでは説明を省略する。
【００７６】
Ｓ６９では、操作入力がＯＫ／ＦＵＮＣキー３０かどうか判断する。ここで、ＯＫ／ＦＵＮＣキー３０でない場合（Ｓ６９がＮＯ）はＳ７０へ移行し、ＯＫ／ＦＵＮＣキー３０である場合（Ｓ６９がＹＥＳ）はＳ７１へ移行する。
【００７７】
Ｓ７０では、不図示の他の操作入力処理へ移行する。
Ｓ７１では、図１１に示したように、撮影待機画面上に、撮影パラメータを選択するためのウィンドウ３９を表示する（メニュー表示を行う）。この時、カーソル位置の初期状態は、”ホワイトバランス”とする。
【００７８】
Ｓ７２では、次にＯＫ／ＦＵＮＣキー３０が押下されたか否か判断するために”ＯＫキー判断Ａ”のサブルーチン（図９参照）をコールする。ここで、ＯＫ／ＦＵＮＣキー３０が押下された場合は、Ｓ７３の処理へ移行する。
【００７９】
Ｓ７３では、”ホワイトバランス”が選択されたか否か判断する。”ホワイトバランス”が選択された場合（Ｓ７３がＹＥＳ）はＳ７５へ移行し、”ホワイトバランス”が選択されていない場合（Ｓ７３がＮＯ）はＳ７４へ移行する。
【００８０】
以降のＳ７４及びＳ７５乃至Ｓ７７の処理は、図８に示したＳ１７及びＳ１８乃至Ｓ２０の処理と同様であるので、ここでは説明を省略する。
以上、本実施例によれば、撮影待機画面上からダイレクトに撮影パラメータを選択することが可能になる。
【００８１】
尚、上述の実施例１及び２では、撮影パラメータとして”ホワイトバランス”が選択され、ホワイトバランスに係るマルチウィンドウが表示される例を説明したが、その他の撮影パラメータである、”画像形式”、”ズーム”、”シャープネス”、”コントラスト”、又は、”彩度”が選択されたときにも、同様にして、選択された撮影パラメータに係るマルチウィンドウが表示される。
【００８２】
図１３は、撮影パラメータとして”画像形式”が選択されたときに表示される、画像形式に係るマルチウィンドウの表示例である。この表示状態では、十字キー２４を操作することによって、２つのスルー画像４０、４１から、いずれかのスルー画像を選択することができる。
【００８３】
ここで、スルー画像４０は、画像形式が１６：９サイズのスルー画像である。スルー画像４１は、画像形式が４：３サイズのスルー画像である。
同図に示した表示状態は、スルー画像４０（画像形式が１６：９サイズのスルー画像）が選択されている様子を示しており、この表示状態でＯＫ／ＦＵＮＣキー３０を押下すると、選択されているスルー画像４０がＴＦＴ２０上に全画面で表示される。
【００８４】
尚、この画像形式に係るマルチウィンドウでは、その他に、３：２サイズのスルー画像や、パノラマサイズのスルー画像などを併せて表示することも可能である。
図１４は、撮影パラメータとして”ズーム”が選択されたときに表示される、ズームに係るマルチウィンドウの表示例である。この表示例は、焦点距離を４段階にマルチウィンドウ表示した例である。この表示状態では、十字キー２４を操作することによって、４つのスルー画像４２、４３、４４、４５から、いずれかのスルー画像を選択することができる。
【００８５】
ここで、スルー画像４２は、ワイド端（Ｗｉｄｅ）相当のスルー画像である。スルー画像４３は、３倍ズーム（３× Ｚｏｏｍ）相当のスルー画像である。スルー画像４４は、５倍ズーム（５× Ｚｏｏｍ）相当のスルー画像である。スルー画像４５は、２５倍ズーム（２５× Ｚｏｏｍ）相当のスルー画像である。
【００８６】
同図に示した表示状態は、スルー画像４２（ワイド端相当の画像）が選択されている様子を示しており、この表示状態でＯＫ／ＦＵＮＣキー３０を押下すると、選択されているスルー画像４２がＴＦＴ２０上に全画面で表示される。
【００８７】
図１５は、撮影パラメータとして”シャープネス”が選択されたときに表示される、シャープネスに係るマルチウィンドウの表示例である。この表示例は、シャープネスを４段階にマルチウィンドウ表示した例である。この表示状態では、十字キー２４を操作することによって、４つのスルー画像４６、４７、４８、４９から、いずれかのスルー画像を選択することができる。
【００８８】
ここで、スルー画像４６は、シャープネス標準（ＡＵＴＯ）のスルー画像である。スルー画像４７は、シャープネス弱（ＬＯ）のスルー画像である。スルー画像４８は、シャープネス中（ＭＩＤ）のスルー画像である。スルー画像４９は、シャープネス強（ＨＩ）のスルー画像である。
【００８９】
同図に示した表示状態は、スルー画像４６（シャープネス標準の画像）が選択されている様子を示しており、この表示状態でＯＫ／ＦＵＮＣキー３０を押下すると、選択されているスルー画像４６がＴＦＴ２０上に全画面で表示される。
【００９０】
図１６は、撮影パラメータとして”コントラスト”が選択されたときに表示される、コントラストに係るマルチウィンドウの表示例である。この表示例は、コントラストを４段階にマルチウィンドウ表示した例である。この表示状態では、十字キー２４を操作することによって、４つのスルー画像５０、５１、５２、５３から、いずれかのスルー画像を選択することができる。
【００９１】
ここで、スルー画像５０は、コントラスト標準（ＡＵＴＯ）のスルー画像である。スルー画像５１は、コントラスト低（ＬＯ）のスルー画像である。スルー画像５２は、コントラスト中（ＭＩＤ）のスルー画像である。スルー画像５３は、コントラスト高（ＨＩ）のスルー画像である。
【００９２】
同図に示した表示状態は、スルー画像５０（コントラスト標準の画像）が選択されている様子を示しており、この表示状態でＯＫ／ＦＵＮＣキー３０を押下すると、選択されているスルー画像５０がＴＦＴ２０上に全画面で表示される。
【００９３】
図１７は、撮影パラメータとして”彩度”が選択されたときに表示される、彩度に係るマルチウィンドウの表示例である。この表示例は、彩度を４段階にマルチウィンドウ表示した例である。この表示状態では、十字キー２４を操作することによって、４つのスルー画像５４、５５、５６、５７から、いずれかのスルー画像を選択することができる。
【００９４】
ここで、スルー画像５４は、彩度標準（ＡＵＴＯ）のスルー画像である。スルー画像５５は、彩度低（ＬＯ）のスルー画像である。スルー画像５６は、彩度中（ＭＩＤ）のスルー画像である。スルー画像５７は、彩度高（ＨＩ）のスルー画像である。
【００９５】
同図に示した表示状態は、スルー画像５４（彩度標準の画像）が選択されている様子を示しており、この表示状態でＯＫ／ＦＵＮＣキー３０を押下すると、選択されているスルー画像５４がＴＦＴ２０上に全画面で表示される。
【００９６】
また、上述の実施例１及び２では、選択された撮影パラメータ（例えば”ホワイトバランス”）に係るマルチウィンドウが表示される例を説明したが、撮影モードが異なる複数のスルー画像からなるマルチウィンドウを表示することもできる。例えば、静止画撮影モードにおけるスルー画像、手振れ軽減撮影モードにおけるスルー画像、及びシーン撮影モードにおけるスルー画像などの複数のスルー画像からなるマルチウィンドウを表示することができる。尚、このような場合は、取得された原画像を基に、撮影モード毎に、撮影モードに対応するパラメータ値の下に画像処理が施され、複数の画像が作成され、マルチウィンドウ表示が行われる。
【００９７】
或いは、シーン撮影モードにおいて設定可能なシーン設定が異なる複数のスルー画像からなるマルチウィンドウを表示することもできる。尚、シーン撮影モードにおいて設定可能なシーン設定としては、例えば、ポートレート、風景、風景＆人物、夜景、夜景＆人物、スポーツ、屋内撮影、キャンドル、夕日、打ち上げ花火、ビーチ＆スノー、水中ワイド、水中マクロ等が挙げられる。各シーン設定は、当該シーンに最適な撮影条件を自動的に設定するものである。例えば、ポートレートにおけるスルー画像、屋内撮影におけるスルー画像、及びキャンドルにおけるスルー画像などの複数のスルー画像からなるマルチウィンドウを表示することができる。尚、このような場合は、取得された原画像を基に、シーン設定毎に、シーン設定に対応するパラメータ値の下に画像処理が施され、複数の画像が作成され、マルチウィンドウ表示が行われる。
【００９８】
このように、撮影モードが異なる複数のスルー画像からなるマルチウィンドウや、シーン設定が異なる複数のスルー画像からなるマルチウィンドウを表示することによって、カメラ操作者が初心者であっても、撮影モードやシーン設定の違いを容易に理解することができる。また、この場合も、被写体の動きや明るさに変化があっても被写体の現在の状態をマルチウィンドウ上に忠実に反映することができるので、カメラ操作者は過去の記憶に頼ることなく、撮影モードやシーン設定を設定することができる。さらに、撮影モード又はシーン設定が異なる画像を１枚１枚切り換えることなく、マルチウィンドウにて同時に表示するため、選択の操作が簡単である。
【００９９】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１００】
【図１】実施例１に係る撮像装置であるカメラのブロック図である。
【図２】実施例１に係るカメラの外観背面図である。
【図３】ＴＦＴに表示された第１階層メニューを示す図である。
【図４】ＴＦＴに表示された第２階層メニューを示す図である。
【図５】ホワイトバランスに係るマルチウィンドウの表示例を示す第１の図である。
【図６】ＴＦＴに全画面表示されたスルー画像を示す図である。
【図７】ホワイトバランスに係るマルチウィンドウの表示例を示す第２の図である。
【図８】ホワイトバランスに係るマルチウィンドウを表示するまでの動作を示すフローチャートである。
【図９】ＯＫキー判断Ａ（Ｓ１３，Ｓ１５）のサブルーチン処理を示すフローチャートである。
【図１０】ＯＫキー判断Ｂ（Ｓ１８）のサブルーチン処理を示すフローチャートである。
【図１１】実施例２に係る撮像装置であるカメラのＴＦＴに表示された撮影待機画面の一例を示す図である。
【図１２】撮影待機画面上のウィンドウから撮影パラメータを選択可能とした、実施例２に係るカメラの動作を示すフローチャートである。
【図１３】画像形式に係るマルチウィンドウの表示例を示す図である。
【図１４】ズームに係るマルチウィンドウの表示例を示す図である。
【図１５】シャープネスに係るマルチウィンドウの表示例を示す図である。
【図１６】コントラストに係るマルチウィンドウの表示例を示す図である。
【図１７】彩度に係るマルチウィンドウの表示例を示す図である。
【符号の説明】
【０１０１】
１      光学系
２      撮像素子
３      撮像制御部
４      ＡＥ信号処理部
５      鏡枠制御部
６      コントロール部
７      操作部
８      内蔵メモリ
９      外部メモリ
１０    表示部
１１    画像処理部
１２    バス
２０    ＴＦＴカラー液晶
２１    レリーズボタン
２２    ズームボタン
２３    モード設定ダイアル
２４    キースイッチ
２５、２６、２７、２８  指標
２９    キースイッチ
３０    キー
３１、３２、３３、３４、３５、３６、３７、３８  スルー画像
３９  ウィンドウ
４０、４１、４２、４３、４４、４５、４６  スルー画像
４７、４８、４９、５０、５０、５１、５２  スルー画像
５３、５４、５５、５６、５７  スルー画像
【図１】
2007274581.tif 000003
【図２】
2007274581.tif 000004
【図３】
2007274581.tif 000005
【図４】
2007274581.tif 000006
【図５】
2007274581.tif 000007
【図６】
2007274581.tif 000008
【図７】
2007274581.tif 000009
【図８】
2007274581.tif 000010
【図９】
2007274581.tif 000011
【図１０】
2007274581.tif 000012
【図１１】
2007274581.tif 000013
【図１２】
2007274581.tif 000014
【図１３】
2007274581.tif 000015
【図１４】
2007274581.tif 000016
【図１５】
2007274581.tif 000017
【図１６】
2007274581.tif 000018
【図１７】
2007274581.tif 000019